(57)【要約】【課題】髪形と頭部顔面部をデジタル合成する際に実物に近い奥行きや臨場感を全体もしくは局部的に現状のままもしくは追加して表現。【解決手段】髪形と頭部顔面部の不一致は髪形をいくつかの表示パターンに分類し、多重透過表示で髪形本来の奥行き臨場感を表現し、部分もしくは全体の縦横比を固定しない縮小拡大変形により両者を適合させ、外輪を演算し数値化することで髪形の変形にも対応可能とする。【選択図】図２
2007241963.tif 000002
【特許請求の範囲】
【請求項１】
髪形をいくつかの表示パターンに分類し、幾重にも重ねて透過表示することにより髪形のもつ本来の奥行きや臨場感を表現する表示方法。
【請求項２】
髪形をいくつかの表示パターンに分類し、幾重にも重ねて透過表示することにより髪形のもつ本来の奥行きや臨場感を表現し変色させる表示方法。
【請求項３】
髪形をいくつかの表示パターンに分類し、幾重にも重ねて透過表示することにより髪形のもつ本来の奥行きや臨場感を表現した表示拡大縮小方法。
【請求項４】
髪形の外輪を演算し数値化することで髪形の変形にも対応可能となる表示方法。
【請求項５】
髪形の外輪を演算し数値化することで髪形の変色にも対応可能となる表示方法。
【発明の詳細な説明】
【技術分野】
【０００１】本発明は、髪形をいくつかの要因分析により表示パターンに分解・制作し、幾重にも重ねて透過表示することにより髪形のもつ本来の奥行きや臨場感を表現に関することと、その表現を状況に応じて縮小拡大にも対応することで頭部顔面写真及び造形作品と髪形写真及び造形作品を適合させることに関すること、外輪を演算し数値化することで髪形の変形に関すること。すなわち個人の顔に融合するように従来の髪形や染色後の髪形等、臨場感をもって忠実に整形・表示する方法を提供し、髪形の変形にも対応するものとなる。
【背景技術】
【０００２】近年、髪形適合ソフトを使用しての本人と髪形を適合させるシステムが使用され、散髪する以前の適合を確認するなどの手段として普及しつつある。
【発明の開示】
【発明が解決しようとする課題】
【０００３】髪形適合システムには奥行や臨場感がなく頭部の写真および造形作品との結合に違和感が生じ、実際の頭部の適合確認をすることが困難であり、奥行や臨場感がある状態での拡大縮小にも対応しておらず、外輪を変化させることもできなかった。【０００４】一枚（一データ）の頭部顔面部の写真および造形作品と一枚（一データ）の髪形の写真および造形作品を単純に組み合わせる場合、頭部の顔面写真は凹凸が比較的鮮明なのに対し、髪形の写真および造形作品は単色もしくは単色に近い色相のため凹凸を表現することが困難であるという問題があった。【０００５】一枚（一データ）の頭部顔面部の写真と一枚（一データ）の髪形の写真および造形作品を単純に組み合わせる場合、髪形の写真および造形作品は単色もしくは単色に近い色相のため凹凸を表現することが困難であったため、実際の適合する色に近い色での表現が困難であるという問題点があった。【０００６】一枚（一データ）の頭部顔面部の写真および造形作品と一枚（一データ）の髪形の写真および造形作品を単純に組み合わせる場合でも個々人でサイズの違う頭部顔面部の写真と一枚（一データ）の用意された髪形の写真および造形作品を適合させるために拡大縮小を行わなくてはならず、適合させることが困難であるという問題点があった。【０００７】一枚（一データ）の頭部顔面部の写真と一枚（一データ）の髪形の写真および造形作品を単純に組み合わせる場合もしくは一枚（一データ）の頭部顔面写真の髪形自身の造形を変化させることができないために、スタイリングなどで本来ある髪形をもとに変化させた髪形及び変色させた髪形を表現することができないという問題点があった。
【課題を解決するための手段】
【０００８】上記のように髪形と頭部顔面部の不一致は髪形をいくつかの表示パターンに分類し、幾重にも重ねて透過表示することにより髪形のもつ本来の奥行きや臨場感を表現することで、フレキシブルな縮小拡大にも対応することが可能となり、外輪を演算し数値化することで髪形の変形にも対応可能となる。
【発明の効果】
【０００９】本発明は上記及び上記に付帯・関連する課題を解決するために考案されたものであり、インターネットやパソコン、美容・理容関係の店頭などで、頭部顔面部の写真および造形作品と髪形及び髪色の写真および造形作品を変化・変形部分的もしくは全体的に拡大縮小させることによって、もしくは一枚（一データ）の頭部顔面部の写真を加工・変化・変形させることによって現実の合成されていない実写に近い状態で顔面頭部と髪形を表示・提供することができる。
【発明を実施するための最良の形態】
【００１０】本発明は、頭部顔面部の写真および造形作品と髪形及び髪色の写真および造形作品を変化・変形させることによって、もしくは一枚（一データ）の頭部顔面部の写真を加工・変化・変形させることによって適合した頭部と髪形を表示・提供するためには、一枚（一データ）の髪形の写真および造形作品を幾重にも重ねて透過表示することにより髪形に奥行きや臨場感を学えることで、頭部顔面部の写真および造形作品と髪形及び髪色の写真および造形作品を適合させることが有効であると見出した。また、髪形に奥行きや臨場感を与えることで、頭部顔面部の写真および造形作品と髪形及び髪色の写真および造形作品を適合させることでフレキシブルな縮小拡大にも対応することが可能となることも見出した。【００１１】また、髪形の外輪を演算し数値化することでスタイリングなどによる髪形の変形にも対応可能となることを見出した。【００１２】即ち、本発明は、髪形写真及び造形作品を幾重にも重ねて透過表示することによって奥行き臨場感を持たせ、髪形と頭部顔面の組合せを最適に行うことができるシステムを提供することで、ユーザーに実際の仕上がりに近いかたちでの表示が可能となる。また、現行の髪形を髪形の外輪を演算して数値化することで理容だけではなく、ユーザーの現行の髪形を変形することでの活用を見出すことが可能となる。【００１３】なお、本発明においての髪形とは、理容による散髪による髪形、スタイル剤を使用した髪形、仮想による造形作品などを含み、髪色とは、すべての染毛剤による染色と脱色を含む。
【実施例１】
【００１４】図２は、本発明の髪形写真及び造形作品を幾重にも重ねて透過表示することによって奥行き臨場感を持たせる方法である。【００１５】図２は、本発明の髪形写真及び造形作品を幾重にも重ねて透過表示することによって奥行き臨場感を持たせる方法である。
本発明の髪形をいくつかの表示パターンに分類し、幾重にも重ねて透過表示することにより髪形のもつ本来の奥行きや臨場感を表現し変色させる表示方法である。
本発明の髪形をいくつかの表示パターンに分類し、幾重にも重ねて透過表示することにより髪形のもつ本来の奥行きや臨場感を表現した表示拡大縮小方法である。
髪形の外輪を演算し数値化することで髪形の変形にも対応可能となる表示方法である。
【産業上の利用可能性】
【００１６】実際に髪形を散髪及び何らかの手を加える前に実写と同様な状態で表現することが可能となるため美容・理容関係の店頭などでの商品やサービスの販売促進の一方法として、さらに個人の理容前の利用が可能となる。
【図面の簡単な説明】
【００１７】
【図１】本図はすべてが統合認識図である。
【図２】本図は統合認識する過程の図である。本図の位置及び調整は▲２▼〜▲９▼の部分ごともしくは統合された状態での大きさの拡大縮小変形などの自動調整または手動調整が可能である。本図の位置及び調整は▲２▼〜▲９▼の部分ごともしくは統合された状態での色の変更、透過度数濃度の変更などの自動調整または手動調整が可能である。
【符号の説明】
【００１８】▲１▼  対象となる人物の実画像である。
▲２▼  追加する部分髪形の影画像である。本画像は縦横比を固定することなく拡大縮小ができ斜め方向への変形も可能である。
▲３▼  ▲２▼に臨場感をもたせるための暈かしなどの画像効果の透過を含む画像である。本画像は縦横比を固定することなく拡大縮小ができ斜め方向への変形も可能である。
▲４▼  追加する部分髪形部分の透過を含む実画像である。本画像は縦横比を固定することなく拡大縮小ができ斜め方向への変形も可能である。
▲５▼  追加する部分髪形の強調部分の透過を含む画像である。本画像は縦横比を固定することなく拡大縮小ができ斜め方向への変形も可能である。
▲６▼  ▲５▼に臨場感をもたせるための暈かしなどの画像効果の透過を含む画像である。本画像は縦横比を固定することなく拡大縮小ができ斜め方向への変形も可能である。
▲７▼  髪形全体の透過を含む影画像である。本画像は縦横比を固定することなく拡大縮小ができ斜め方向への変形も可能である。
▲８▼  ▲７▼に臨場感をもたせるための暈かしなどの画像効果の透過を含む画像である。本画像は縦横比を固定することなく拡大縮小ができ斜め方向への変形も可能である。
▲９▼  追加する髪形全体の透過を含む実画像である。本画像は縦横比を固定することなく拡大縮小ができ斜め方向への変形も可能である。
▲１０▼  追加する髪形全体の強調部分の透過を含む画像である。本画像は縦横比を固定することなく拡大縮小ができ斜め方向への変形も可能である。
▲１１▼  ▲１▼〜▲１０▼に臨場感をもたせるための暈かしなどの画像効果の透過を含む画像である。本画像は縦横比を固定することなく拡大縮小ができ斜め方向への変形も可能である。
【図１】
2007241963.tif 000003
【図２】
2007241963.tif 000004